(57)【要約】【課題】本発明は、メタンガスを製造した残りの残渣物を回転式ドラムに投入し製造されたメタンガス等により燃焼熱風と回転により乾燥し、適時の回転数により顆粒化され炭化処理、減菌作用、脱臭ができることを特徴とするメタン発酵残渣の乾燥・顆粒製造装置を提供する。【解決手段】メタンガスを製造した残りの残渣物を回転式ドラムに投入し製造されたメタンガス等により燃焼熱風と回転により乾燥し、適時の回転数と多角形ドラムにより顆粒化され温度制御により炭化処理、減菌作用、脱臭ができるメタン発酵残渣の乾燥・顆粒製造装置を実現した。【選択図】図１
2015157274.tif 000002
【特許請求の範囲】
【請求項１】
メタンガスを製造した残りの残渣物を回転式ドラムに投入し製造されたメタンガス等により燃焼熱風と回転により乾燥し、適時の回転数と多角形ドラムにより顆粒化され温度制御により炭化処理、減菌作用、脱臭ができるメタン発酵残渣の乾燥・顆粒製造装置
【請求項２】
ドラムは内部を多角形の形状にし、ドラム回転時に正回転、逆回転時に残渣物が角に集中し、残渣物の重みで加圧され顆粒効果を生み出し、さらに回転が進むと残渣物は下部に落下しドラム内の雰囲気温度を通過して落下するので、より乾燥を進ませる効果をもたせたドラム形状。
【請求項３】
ドラムの後方に内容排出口が設け、その位置はドラムの中心より変位させるため正回転時は排出口に設けてあるスロープに行かないうちに内容物はドラム内の下部に落下し、乾燥顆粒化し内容物を排出する場合は逆回転するとスロープ上に落下するのでスロープの形状に沿って外部に排出される機能を持ったドラム形状。
【発明の詳細な説明】
【技術分野】
【０００１】本発明は、メタンガス発酵が終了した残渣を乾燥し顆粒状にする装置に関するものである。
【背景技術】
【０００２】メタンガス発酵装置は通常家畜糞尿、生ゴミ等を原料にメタンガスを発生させるがその残渣についてはＵ字溝等に広げ天日により乾燥させており臭いや時間がかかる等の問題があり又顆粒にする装置は無かった。【０００３】メタンガスを製造した残りの残渣物は良質な有機肥料として活用されるが、製造プラントにおいて原料別に有機肥料を製造する装置は無かった。
【先行技術文献】
【特許文献】
【０００４】
【特許文献１】特開２００４−９９４２６公報
【特許文献２】特願２００３−５２４７１０公報
【発明の概要】
【発明が解決しようとする課題】
【０００５】    解決しようとする問題点は、メタンガスを製造した残りの残渣物は良質な有機肥料として活用されるが、その残渣についてはＵ字溝等に広げ天日により乾燥させており臭いや時間がかかる等の問題があり又顆粒にする装置は無かった。
【課題を解決するための手段】
【０００６】  本発明は、メタンガスを製造した残りの残渣物を回転式ドラムに投入し製造されたメタンガス等により燃焼熱風と回転により乾燥し、適時の回転数により顆粒化され炭化処理、減菌作用、脱臭ができることを特徴とするメタン発酵残渣の乾燥・顆粒製造装置である。
【発明の効果】
【０００７】  現在、有機肥料はたい肥化や動植物を活用して製造されているが本発明はメタンガス製造装置の残渣を活用し短時間に有効な顆粒状の有機肥料を本発明によるメタン発酵残渣の乾燥・顆粒製造装置にて製造することで衛生的に公害も少ない有機肥料を製造する。
【図面の簡単な説明】
【０００８】
【図１】メタン発酵残渣の乾燥・顆粒製造装置図
【発明を実施するための形態】
【０００９】    メタンガスを製造した残りの残渣物を回転式ドラム１１に投入し製造されたメタンガス等により燃焼熱風と回転により乾燥し、適時の回転数と多角形ドラム１２により顆粒化され温度制御により炭化処理、減菌作用、脱臭ができる。
【実施例１】
【００１０】    残渣は８５％の水分を含む状況で投入され、これらに水分吸収材としてもみ殻や鉋くず等を加えて均質な状態にドラムを回転させる。【００１１】ドラムの中央部にヒーター装置１３があり燃焼部と加熱部は同一加熱部となっている。【００１２】燃焼部の火炎は直接残渣及びもみ殻や鉋クズに接触することがないようになっている。【００１３】燃焼に必要な空気は外部から取り込まれ、この空気は前述の加熱部の先の出口まで加熱部のパイプを加温しながらドラムのほぼ中央部にて解放されて回転している残渣を加熱して乾燥作業を行う。【００１４】ドラム内を乾燥作業を行った熱風はヒーターの反対側ドラムの外に排出される。【００１５】排出されたドラム内のガスは多量の水分と乾燥時に発生した臭気、粉塵が混合されているので粉塵除去装置１４及び脱臭装置１５を通過して前述のヒーター装置部１３に戻りヒーターの燃焼の為に使用される。【００１６】この時燃焼作用にて臭気は無くなり燃焼時に燃焼ガス（メタンガス）と混合される【００１７】ドラムはドラム下部に設けられている一対のローラ２個１６の上に設置され、このローラを駆動することによって回転する。【００１８】ドラム側にはローラの回転力を正確に伝える為にローラ側には硬質ゴム１７を焼き付けしている。【００１９】ドラム側の転送面１８は平滑で突起が無い形状にしている為残渣は固形化、顆粒化する。【００２０】残渣に含まれる残液は蒸気となってドラム後方より前方に移動し燃焼装置に戻り燃焼ガスとなってより高熱となって残渣の乾燥、顆粒化を進める。【００２１】この時燃焼ガスの温度はより高まり残渣に混入したもみ殻や鉋クズの炭素化を行い炭化処理、減菌効果、脱臭作用が実施される。【００２２】ドラムは内部が多角形の形状をしているのでドラムの回転時に正回転、逆回転時に残渣物が角に集中し、残渣物の重みで加圧され顆粒効果を生み出し、さらに回転が進むと残渣物は下部に落下しドラム内の雰囲気温度を通過して落下するので、より乾燥を進ませる効果がある。【００２３】ドラムの後方には内容排出口１９が設けてあるが、その位置はドラムの中心より変位しているので正回転時は排出口に設けてあるスロープに行かないうちに内容物はドラム内の下部に落下し、内容物を排出する場合は逆回転するとスロープ上に落下するのでスロープ２０の形状に沿って外部に排出される。【００２４】ドラム内に投入された残渣、もみ殻、鉋クズ等は入口から出口に時間をかけて移動するようにドラム内面に移動制御用のガイド（ゲートリブ）が付いている。【００２５】スロープ状の排出口は移動式とし、加熱時は排出口のふたを閉じて外部に出ないようにし、排出する場合はふたを開けてスロープ及び排出口をドラムに挿入しドラムを逆回転させ取りだす。【００２６】ドラムの外周には断熱材２１を取付けドラムの内部加熱からの作業者の安全を確保する。【００２７】断熱材は取り外しが容易な脱着タイプとする。【００２８】ヒーターの熱源はメタンガスやプロパンガスによる燃焼タイプとする。
【産業上の利用形態】
【００２９】  現在、有機肥料はたい肥化や動植物を活用して製造されているが本発明はメタンガス製造装置の残渣を活用し短時間に有効な顆粒状の有機肥料を本発明によるメタン発酵残渣の乾燥・顆粒製造装置にて製造することで衛生的に公害も少ない有機肥料を製造する。
【符号の説明】
【００３０】１１・・・回転式ドラム
１２・・・多角形ドラム
１３・・・ヒーター装置
１４・・・粉塵除去装置
１５・・・脱臭装置
１６・・・一対のローラ２個
１７・・・硬質ゴム
１８・・・転送面
１９・・・内容排出口
２０・・・スロープ
２１・・・断熱材
【図１】
2015157274.tif 000003